(57)【要約】【課題】調理人等の作業能率を低下することなくシステムキッチン内部の害虫を効果的に捕獲もしくは駆除可能な食器洗浄機を提供する。【解決手段】食器洗浄機６は、けこみ部８を少なくとも部分的に開いて害虫駆除スペースに通じる開口を形成する開状態及び開口を閉じる閉状態の間に移動可能な害虫駆除スペースの画成部材を備え、該画成部材は、機器本体又はけこみ部に着脱自在に締結される。画成部材は、好ましくは、機器本体に取り付けられる第１けこみカバー６１ｇと、該第１けこみカバーに締結具６１ａ，６２ａの挿入・引抜きにより着脱自在に取り付けられる第２けこみカバー６２ｇとを備え、第２けこみカバー６１ｇが第１けこみカバー６１ａから引き抜かれたときに開口を形成する。【選択図】  図５
2004329373.tif 000002
【特許請求の範囲】
【請求項１】
機器本体にけこみ部を有するビルトイン型システムキッチン構成機器であって、
前記けこみ部を少なくとも部分的に開いて害虫駆除スペースに通じる開口を形成する開状態及び前記開口を閉じる閉状態の間に移動可能な害虫駆除スペース画成手段を備え、該害虫駆除スペース画成手段は、前記機器本体又は前記けこみ部に着脱自在に締結されることを特徴とするビルトイン型システムキッチン構成機器。
【請求項２】
前記害虫駆除スペース画成手段は、前記機器本体に取り付けられる第１けこみカバーと、該第１けこみカバーに前記締結手段の挿入・引抜きにより着脱自在に取り付けられる第２けこみカバーとを備え、前記第２けこみカバーが前記第１けこみカバーから引き抜かれたときに前記開口を形成するようにしたことを特徴とする請求項１に記載のシステムキッチン構成機器。
【請求項３】
機器本体にけこみ部を有するビルトイン型システムキッチン構成機器であって、
前記けこみ部を少なくとも部分的に開いて害虫駆除スペースに通じる開口を形成する開状態及び前記開口を閉じる閉状態の間に回動可能な害虫駆除スペース画成手段を備え、該害虫駆除スペース画成手段は、前記機器本体又は前記けこみ部に回動自在に取り付けられていることを特徴とするビルトイン型システムキッチン構成機器。
【発明の詳細な説明】
【０００１】
【発明の属する技術分野】
本発明は、システムキッチンのような厨房設備に関し、特に、かかるシステムキッチンに組み込むのに適する食器洗浄機や製氷機などのようなビルトイン型システムキッチン構成機器に関するものである。
【０００２】
【従来の技術】
近年、食器洗浄機は、ホテル、レストラン、給食センター等の厨房設備だけでなく、一般家庭のいわゆるシステムキッチンにおいても広汎に普及してきている。この食器洗浄機が設置される場所は、通常、食品を取り扱う厨房であるため、食品衛生上、特にゴキブリに代表される害虫の駆除には格別の配慮が必要である。ゴキブリは、暖かく且つ湿気の多い場所を好むことが知られており、このような場所は、ゴキブリにとってより好適な環境となるため、ゴキブリの繁殖にも適している。システムキッチンの食器洗浄機は、熱及び水を使用するため、言うまでもなく暖かく且つ湿気の多い場所であるから、ゴキブリが生息しやすく、害虫駆除剤の力を借りてゴキブリを除去することが好ましい。
【０００３】
ところが、システムキッチンの場合、調味料や調理器具の収納室や食器洗浄機の内部空間に害虫駆除剤の容器を設置することは望ましくないので、従来、害虫駆除剤の入った捕獲容器は、走触性の習性を働かせて行動するゴキブリの特徴を利用して、システムキッチンの高さを数段階に変更可能にする等のためにその前面下部に設けられたけこみ板の前方に設置したり、及び／又はシステムキッチンが設えられた厨房の床面上で厨房側壁に隣接して設置したりしていた。
【０００４】
【特許文献１】
特開平９−１９１８０９号公報
【０００５】
【発明が解決しようとする課題】
しかし、前者のように害虫駆除剤の捕獲容器を設けると、システムキッチン内のゴキブリの捕獲率が低下するだけでなく、調理人等がシステムキッチンの前に立って作業を行う場合に、調理人の移動範囲にあるため、足先にこの捕獲容器が引っ掛かってしまったり、捕獲容器の存在のため集中力が削がれて作業能率の低下になる。また、後者の場合も、調理人等の歩く範囲内に捕獲容器あれば同様の問題が生じるだけでなく、システムキッチン内のゴキブリの捕獲率は更に低下する。
【０００６】
従って、本発明の目的は、調理人等の作業能率を低下することなくシステムキッチン内部の害虫を効果的に捕獲もしくは駆除可能なビルトイン型システムキッチン構成機器を提供することである。
【０００７】
【課題を解決するための手段】
上述の目的を達成するため、請求項１に記載の本発明によると、機器本体にけこみ部を有するビルトイン型システムキッチン構成機器は、けこみ部を少なくとも部分的に開いて害虫駆除スペースに通じる開口を形成する開状態及び開口を閉じる閉状態の間に移動可能な害虫駆除スペース画成手段を備え、該害虫駆除スペース画成手段は、機器本体又はけこみ部に着脱自在に締結されることを特徴としている。
【０００８】
このシステムキッチン構成機器において、害虫駆除スペース画成手段は、ねじ挿通孔を有するけこみカバーを備え、ローレットねじなどの手回しねじにより、けこみカバーを機器本体に着脱自在に締結させるようにしてもよい。
【０００９】
あるいは、このシステムキッチン構成機器において、害虫駆除スペース画成手段は、請求項２に記載のように、機器本体に取り付けられる第１けこみカバーと、該第１けこみカバーに締結手段の挿入・引抜きにより着脱自在に取り付けられる第２けこみカバーとを備え、第２けこみカバーが第１けこみカバーから引き抜かれたときに開口を形成するようにすることが好適である。
【００１０】
また、上述の目的を達成するため、請求項３に記載の本発明によると、機器本体にけこみ部を有するビルトイン型システムキッチン構成機器において、けこみ部を少なくとも部分的に開いて害虫駆除スペースに通じる開口を形成する開状態及び開口を閉じる閉状態の間に回動可能な害虫駆除スペース画成手段を備え、該害虫駆除スペース画成手段は、機器本体又はけこみ部に回動自在に取り付けられていることを特徴としている。
【００１１】
【発明の実施の形態】
次に、添付図面を参照して、本発明の好適な実施の形態について詳細に説明するが、図中、同一符号は同一又は対応部分を示すものとする。また、本発明は、以下の説明から分かるように、この実施形態に限定されるものではなく、種々の改変が可能である。
【００１２】
図１は、本発明の一実施形態によるビルトイン型の食器洗浄機が組み込まれた一般家庭用システムキッチンの一部を符号１で総括的に示している。図１の実施形態において、システムキッチン１は、例えば、流し台２、トップテーブルである調理台３、ガスオーブン４、ガスコンロ５、本発明の実施形態にかかる食器洗浄機６、調味料や調理器具等を収納するための収納庫７等の種々の機器を含み、システムキッチン１の前面下部には台輪又はけこみ部といわれる凹所８が形成されていて、このけこみ部８に足先が入ることにより調理人等がシステムキッチン１の前面に近接して作業をしやすいように構成されている。９は上水道のコックである。なお、システムキッチン１は、言うまでもなく、ユーザーの希望に応じてその他さまざまな機能を持つ機器類を相互に関連づけ、合理的に系統化して構成することができ、食器洗浄機を含むこのような機器をシステムキッチン構成機器と呼ぶこととする。
【００１３】
一般的に、システムキッチン１は、使用するユーザーの要望に応じて、けこみ部８の下端からトップテーブル３の上面までの垂直距離であるキッチン高さＨ１を８００ｍｍ又は８５０ｍｍにして製作され、最近では９００ｍｍで製作されることもある。このキッチン高さＨ１の調整は、主に、キッチン底部にある台輪もしくはけこみ高さＨ２の寸法を変更して行われ、システムキッチン１に組み込まれる各構成機器の高さもキッチン高さＨ１に適応するように調整可能である。
【００１４】
システムキッチン１は、加熱機器を含むと共に水廻りであるため、厨房に設置された使用状態において、その内部及び周囲が比較的に暖かく且つ湿分も高いので、ゴキブリのような害虫の生息に好適な場所でもある。ゴキブリ等を駆除するための害虫駆除剤及びそれと組み合わせて使用される小型化された捕獲容器は、さまざまなものが市販されており、収納庫７内にはこれを設置する十分なスペースがあるが、このスペースは、本来、調味料や調理器具等を収納するための空間であり、ここに捕獲容器を設置することは、心理的にも衛生的にも好ましいことではない。
【００１５】
また、食器洗浄機６は大きく分けて、上側の洗浄室６ａと下側の機械室６ｂとを有するが、捕獲容器を洗浄室６ａ内に設置する必要は特になく、機械室６ｂ内に設置することも、ここが実質的に閉止された空間である場合には、やはり必要はない。また、ガスコンロ５やガスオーブン４は、ゴキブリが生息する場所としては温度及び湿度双方の点から不向きであるから、その内部に捕獲容器を設置することも特に必要ない。本発明の実施形態は、システムキッチン１が前述のように台輪又はけこみ部８を有しており、このけこみ部８の高さを変えてキッチン高さを調節することに着眼してなされており、けこみ部８の内側に捕獲容器を収容するように構成している。なお、実施形態では、後述するように捕獲容器を設置することとしているが、固形の害虫駆除剤自体をけこみ部８の内側に直接配置してもよいし、液状又は霧状の害虫駆除剤をけこみ部８の内側に塗布又は散布してもよい。
【００１６】
次に、本発明の第１実施形態に従って構成された食器洗浄機６について図２〜図４を参照して詳細に説明する。図示しないが、この食器洗浄機６の機械室６ｂ内には、例えば特開平７−３１５７４号公報に記載された従来の食器洗浄機と同様に、水溜めタンク、排水ポンプ、洗浄ポンプ、残水タンク、電磁弁等の諸要素を含むことができ、これら諸要素は、典型的には機械室６ｂの架台６ｃに支持される。この実施形態では、架台６ｃは板状部材であり、機械室６ｂとけこみ部８の内側空間とを区画しているが、フレーム状部材であってもよい。また、図３において、６ｄは、一端で上述した排水ポンプに接続される排水管であり、６ｅは、止水弁６ｆを介して上述の洗浄ポンプに接続される給湯管である。図示しないが、架台６ｃの下面には食器洗浄機四隅に、例えば実開平４−３６５６号公報に記載されたような調節可能の脚部が設けられている。食器洗浄機６の高さは、調節可能の脚部の軸方向長さを調節することにより、キッチン高さＨ１に対応して適宜変えることができる。なお、食器洗浄機６のこれら諸要素は従来と同一の構成及び作動のものでよいので、その更なる説明は省略する。
【００１７】
図２に示すように、また、図１から了解されるように、食器洗浄機６のけこみ部は、本発明に従って板状のけこみカバー（害虫駆除スペース画成手段）６ｇから構成され、食器洗浄機本体に着脱自在に取り付けられている。樹脂材料から形成されるのが好ましいこのけこみカバー６ｇは、その垂直方向の高さが前述したけこみ高さＨ２（図１参照）となるように設計されると共に、図４に最も良く示すように、３つのねじ挿通孔６ｉを有している。けこみカバー６ｇは、工具を用いることなく手動操作のみで食器洗浄機本体に着脱できるように、大径の丸頭もしくは角頭を有する手回しローレットねじ等の固定ねじ（締結手段）６ｈをねじ挿通孔６ｉに通し食器洗浄機本体に螺合することによってそこに取り付けられる。
【００１８】
なお、工具を用いることなく手動操作のみでけこみカバー６ｇを食器洗浄機本体に着脱自在に取り付けうるものなら、その他の締結手段もしくは機械要素を使用してよい。例えば、けこみカバー６ｇと食器洗浄機本体との間にフック部を設け、これによりけこみカバー６ｇを着脱自在に支持するようにしてもよい。また、現地でのけこみ高さ調整を容易にするために、けこみカバー６ｇの上端を切断調整したり、ねじ挿通孔６ｉを、長孔又は上端から延びるＵ字状の切欠き部に形成しておくと好適である。
【００１９】
本発明の第１実施形態は以上のように構成されているので、固定ねじ６ｈを指で摘んで回し、取り除けば、けこみカバー６ｇは、食器洗浄機本体から分離した開位置もしくは開状態にすることができ、これにより生じた開口を介して、図示しない害虫駆除剤の入った捕獲容器をけこみカバー６ｇの内面に密接してけこみ部内側の害虫駆除スペースに配置することができる。その後、けこみカバー６ｇは固定ねじ６ｈにより再び所定の閉位置に容易に取り付けることができる。排水管６ｄや給湯管６ｅのあるこの空間は、前述したように暖かく湿気の多いスペースであるため、害虫が生息する場所でもあり、害虫駆除剤を設置する場所として好適である。
【００２０】
図５は、本発明の第２実施形態による食器洗浄機の要部を示している。この第２実施形態において、けこみ部は、害虫駆除スペース画成手段としての内側の第１けこみカバー６１ｇ及び外側の第２けこみカバー６２ｇから構成されている。第１けこみカバー６１ｇは、第１実施形態と同様の固定ねじ６ｈを受けるための一列のねじ挿通孔６ｉと、その下方の所定位置において横方向に延びるスロット（締結手段）６１ａとを有しており、固定ねじ６ｈをねじ挿通孔６ｉに通し食器洗浄機本体に螺合することによってそこに取り付けられる。
【００２１】
一方、第２けこみカバー６２ｇは、垂直脚部６２ｂ及び水平底部６２ｃからほぼ断面Ｌ字形に形成されており、垂直脚部６２ｂの上縁からは、底部６２ｃとほぼ水平に舌状部（締結手段）６２ａが延びている。この舌状部６２ａは、矢視のように、前述のスロット６１ａに抜き差し自在に緩く嵌る寸法を有すると共に、図６に示すように嵌ったときに、第１けこみカバー６１ｇ及び第２けこみカバー６２ｇの各端がぴったり重なり合うような位置に形成されている。第１けこみカバー６１ｇの好ましくは幅方向中央には把手６２ｄが形成されている。
【００２２】
この第２実施形態において、けこみ高さの調整は、図６に示すように、第１けこみカバー６１ｇ及び第２けこみカバー６２ｇを組み立てた状態で、第２けこみカバー６２ｇの底部６２ｃの下面から第１けこみカバー６１ｇの上縁までの高さがけこみ高さＨ２（図１参照）となるように、スロット６１ａの形成位置の異なる複数枚の第１けこみカバー６１ｇを予め用意しておくことにより可能となる。また、現地でのけこみ高さ調整を容易にするために、第１けこみカバー６１ｇの上端を切断調整したり、ねじ挿通孔６ｉを、長孔又は上端から延びるＵ字状の切欠き部に形成しておくと好適である。
【００２３】
本発明によるこの第２実施形態によれば、一旦けこみ高さの調節を行ってしまえば、第１けこみカバー６１ｇの着脱は不要である。第２けこみカバー６２ｇが第１けこみカバー６１ｇから離脱しているときには、第１けこみカバー６１ｇの下方に害虫駆除スペースへの開口が存在するので、第２けこみカバー６２ｇの水平底部６２ｃ上に害虫駆除剤の入った捕獲容器６３を単に載置してから、第２けこみカバー６２ｇの把手６２ｄを持ってその舌状部６２ａを第１けこみカバー６１ｇのスロット６１ａに進入させるように、第２けこみカバー６２ｇを第１けこみカバー６１ｇに組み付けるだけで、極めて容易に捕獲容器６３を害虫駆除スペースに設定することができる。また、捕獲されたゴキブリの入った捕獲容器６３を交換する際には、逆の操作を行えばよく、捕獲容器６３に触れることなくゴミ箱等に廃棄することができる。この実施形態では、把手６２ｄを有する第２けこみカバー６２ｇの存在により、食器洗浄機にゴキブリ対策が施されていることが、外部から明らかに目視できるため、食器洗浄機のユーザーに衛生上の信頼感を与えることができる。
【００２４】
次に、図７に示す第３実施形態においては、通常の固定ねじ６４ｈにより食器洗浄機本体に取り付け得るけこみカバー６４ｇに、捕獲容器を出し入れするのに都合のよい大きさの矩形状の開口もしくは切欠き６４ａが部分的に形成されており、けこみカバー６４ｇにヒンジ６４ｉにより回動自在に取り付けられたけこみドア（害虫駆除スペース画成手段）６５ｇが上述の開口６４ａを選択的に開閉するようになっている。この実施形態において、開口６４ａは矩形に形成されているが、捕獲容器の出し入れが可能であればその形状は任意であり、けこみドア６５ｇの外形は、この開口６４ａの形状に合わせることができる。けこみドア６５ｇは、垂直部６５ｂ及び水平底部６５ｃからほぼ断面Ｌ字形に形成されており、水平底部６５ｃは捕獲容器受けとなる。
【００２５】
また、けこみドア６５ｇの垂直部６５ｂの側部には、ほぼ断面横Ｌ字形の把手６５ｄが設けられている。この把手６５ｄは垂直部６５ｂの側縁よりも突出しており、従って、けこみドア６５ｇを閉めたときにそれが開口６４ａ内に入り込んでしまうのを防止するストッパの役目も果している。けこみドア６５ｇの水平底部６５ｃは、図８から分かるように、けこみドア６５ｇの開閉に邪魔にならないように、けこみドア６５ｇの側縁の回動軌跡６５ｊよりも半径方向の内側にある。なお、けこみ高さに応じて寸法の異なる上述のけこみカバー６４ｇ及びけこみドア６５ｇを複数組用意しておくことが好ましい。また、現地でのけこみ高さ調整を容易にするために、けこみカバー６４ｇの上端を切断調整したり、ねじ挿通孔６ｉを、長孔又は上端から延びるＵ字状の切欠き部に形成しておくと好適である。
【００２６】
本発明の第３実施形態は以上のように構成されているので、けこみカバー６４ｇの着脱は不要であり、けこみドア６５ｇの底部６５ｃ上に害虫駆除剤の入った捕獲容器を単に載置してから、けこみドア６５ｇの把手６５ｄを掴んで停止するまで押して、けこみカバー６４ｇ及びけこみドア６５ｇを組み付けるだけで、極めて容易に捕獲容器を害虫駆除スペースの所定位置に設定することができる。また、捕獲されたゴキブリの入った捕獲容器を交換する際には、単に逆の操作を行えばよい。
【００２７】
図９は、第３実施形態の変形例であり、この場合、けこみドア（害虫駆除スペース画成手段）６５ｇは、ヒンジ６４ｉではなく、ドア側に設けられた軸６６とカバー側に設けられた軸穴６７とから構成される周知の支持構造によりけこみカバー６４ｇに回動自在に取り付けられる。捕獲容器の出し入れは第３実施形態と同様に簡単に行うことができる。
【００２８】
図１０は、本発明の第４実施形態を示しており、けこみドア（害虫駆除スペース画成手段）６８ｇは、その上側部でヒンジ６４ｉによりけこみカバー６９ｇに回動自在に取り付けられている。けこみカバー６９ｇは固定ねじ６４ｈにより食器洗浄機本体に固定される。捕獲容器の載置部を形成するために、この第４実施形態では、けこみカバー６９ｇは垂直部６９ａ及び水平部６９ｂからほぼ断面Ｌ字形に形成されており、水平部６９ｂ上に捕獲容器を載置しうる。符号６２ｄは、図５に示されたものと同様の把手である。
【００２９】
本発明の第４実施形態は以上のように構成されているので、けこみカバー６９ｇの着脱は不要であり、けこみカバー６９ｇの水平部６９ｂ上に害虫駆除剤の入った捕獲容器を単に載置してから、けこみドア６８ｇの把手６２ｄを掴んで停止するまで押してけこみカバー６９ｇ及びけこみドア６８ｇを組み付けるだけで、極めて容易に捕獲容器を所定位置に設定することができる。また、捕獲されたゴキブリの入った捕獲容器を交換する際には、逆の操作を行えばよい。なお、水平部６９ｂの前側縁部は、けこみドア６８ｇのストッパとしての役目も果している。
【００３０】
図１１及び図１２は、第４実施形態の変形例の要部を示すもので、この変形例において、けこみドア（害虫駆除スペース画成手段）７０ｇはその下縁部でヒンジ６４ｉによりけこみカバー７１ｇに回動自在に装着されている。けこみドア７０ｇを閉じた場合、それを閉状態に保持し易いように、けこみドア７０ｇの左右側縁部に若干弾性を有する爪状部７０ａが設けられている。閉状態にあるけこみドア７０ｇを開く際には、爪状部７０ａの弾性に抗して図１１においてけこみドア７０ｇを手前に引き倒せばよい。けこみカバー７１ｇは、けこみドア７０ｇが取り付けられる位置を除いて、図１０の実施形態のけこみカバー６９ｇと実質的に同一である。
【００３１】
以上、本発明の好適な実施形態を食器洗浄機に適用した場合について詳細に説明したが、本発明は、特許請求の範囲の記載内で様々に改変可能であり、言うまでもなく、これらの改変及びその均等物も本発明の範囲内に属する。例えば、図７〜図１２の実施形態では、害虫駆除スペース画成手段を構成するけこみドアが回動自在にけこみカバーに締結されているが、けこみドアを省略し、けこみカバー全体を回動自在に食器洗浄機本体に締結してもよい。また、水平底部６２ｃを設けなくとも、捕獲容器６３を直接床に設置してもよい。
【００３２】
【発明の効果】
請求項１に記載の本発明によれば、システムキッチン構成機器は、けこみ部を少なくとも部分的に開いて害虫駆除スペースに通じる開口を形成する開状態及び開口を閉じる閉状態の間に移動可能な害虫駆除スペース画成手段を備え、害虫駆除スペース画成手段は、機器本体又はけこみ部に着脱自在に締結されているので、厨房等に生息するゴキブリのような害虫を駆除するためのスペースを専用で設けることができ、システムキッチンの収納庫等の他のスペースを有効に活用できると共に、捕獲容器を踏み付けることもなく、調理人等の作業能率を低下することなくシステムキッチン内部の害虫を効果的に捕獲もしくは駆除することができる。
【００３３】
また、請求項２に記載のように、害虫駆除スペース画成手段が、機器本体に取り付けられる第１けこみカバーと、第１けこみカバーに締結手段の挿入・引抜きにより着脱自在に取り付けられる第２けこみカバーとから構成すると共に、第２けこみカバーが第１けこみカバーから引き抜かれたときに開口を形成するようにしておけば、請求項１の発明により得られる効果に加えて、第２けこみカバーを抜き差しするだけで、更に容易に害虫駆除剤をセットするという効果を奏することができる。この場合、第２けこみカバーを断面Ｌ字形に形成して、その水平底部上に害虫駆除剤を載置するように構成しておけば、その設置及び廃棄が容易且つ衛生的に行うことができる。
【００３４】
更に、請求項３に記載の本発明によれば、機器本体にけこみ部を有するビルトイン型システムキッチン構成機器において、けこみ部を少なくとも部分的に開いて害虫駆除スペースに通じる開口を形成する開状態及び開口を閉じる閉状態の間に回動可能な害虫駆除スペース画成手段を備え、害虫駆除スペース画成手段は、機器本体又はけこみ部に回動自在に取り付けられているので、請求項１の発明により得られる効果に加えて、害虫駆除スペース画成手段を回動させるだけで、容易に害虫駆除剤をセットすることができる効果を奏することができる。
【図面の簡単な説明】
【図１】本発明による食器洗浄機が組み込まれたシステムキッチンの一例の斜視図である。
【図２】図１における食器洗浄機の全体構成を示す斜視図である。
【図３】図２の食器洗浄機における水廻りを部分的に破断して示す斜視図である。
【図４】図２の食器洗浄機における第１実施形態のけこみ部もしくはけこみカバーの着脱自在な取付方法を説明するための斜視図である。
【図５】本発明の第２実施形態におけるけこみカバーとけこみドアの挿入・引抜きについて説明するための斜視図である。
【図６】図５のけこみカバー及びけこみドアを挿入状態で示す概略側面図である。
【図７】本発明の第３実施形態の要部斜視図である。
【図８】図７に示した要部の平面図である。
【図９】けこみドアの支持方法が異なる第３実施形態の変形例を示す斜視図である。
【図１０】本発明の第４実施形態の要部斜視図である。
【図１１】第４実施形態の変形例を示す要部斜視図である。
【図１２】図１１に示したけこみドアを閉じて示す要部の平面図である。
【符号の説明】
１…システムキッチン、６…食器洗浄機（システムキッチン構成機器）、６ｇ…けこみカバー（害虫駆除スペース画成手段）、６ｈ…固定ねじ（締結手段）、８…けこみ部、６１ａ…スロット（締結手段）、６１ｇ…第１けこみカバー、６２ａ…舌状部（締結手段）、６２ｇ…第２けこみカバー、６３…捕獲容器、６４ａ…開口、６４ｇ…けこみカバー、６４ｉ…ヒンジ、６５ｇ…けこみドア（害虫駆除スペース画成手段）、６８ｇ…けこみドア（害虫駆除スペース画成手段）、６９ｇ…けこみカバー（害虫駆除スペース画成手段）、７０ｇ…けこみドア（害虫駆除スペース画成手段）、７１ｇ…けこみカバー。
【図１】
2004329373.tif 000003
【図２】
2004329373.tif 000004
【図３】
2004329373.tif 000005
【図４】
2004329373.tif 000006
【図５】
2004329373.tif 000007
【図６】
2004329373.tif 000008
【図７】
2004329373.tif 000009
【図８】
2004329373.tif 000010
【図９】
2004329373.tif 000011
【図１０】
2004329373.tif 000012
【図１１】
2004329373.tif 000013
【図１２】
2004329373.tif 000014